(57)【要約】【課題】空調装置の主ダクトを複数の分岐ダクトに分岐させる分岐チャンバーにおける分配性能を向上させる。【解決手段】分岐チャンバー１０は、厚さが長さ及び幅より小さい扁平容器状である。この分岐チャンバー１０の厚さ方向に対向する第１壁１１及び第２壁１２のうち一方の壁１２に、主ダクト３と接続される流入口３１が形成されている。第１、第２壁１１，１２と交差する周側壁２０には、分岐ダクト４と接続される複数の流出口３２，３２…が互いに離れて形成されている。【選択図】図３
2015183940.tif 000002
【特許請求の範囲】
【請求項１】
主ダクトを複数の分岐ダクトに分岐させる空調用分岐チャンバーにおいて、
厚さが長さ及び幅より小さい扁平容器状であり、
前記厚さ方向に対向する第１壁及び第２壁のうち一方の壁に、前記主ダクトと接続される流入口が形成され、
前記第１、第２壁と交差する周側壁に、前記分岐ダクトと接続される複数の流出口が互いに離れて形成されていることを特徴とする空調用分岐チャンバー。
【請求項２】
前記第１、第２壁どうしの対向距離が、前記流入口の内直径又は内直径相当寸法より小さいことを特徴とする請求項１に記載の空調用分岐チャンバー。
【請求項３】
前記流入口が、前記一方の壁における長さ方向の中央部よりも基端側に偏って配置され、
前記流出口が、前記流入口よりも前記長さ方向の先端側に偏って配置されていることを特徴とする請求項１又は２に記載の空調用分岐チャンバー。
【請求項４】
前記長さ方向の先端側の部分の幅が、先端に向かって漸次小さくなっていることを特徴とする請求項３に記載の空調用分岐チャンバー。
【請求項５】
前記一方の壁が底板であることを特徴とする請求項１〜４の何れか１項に記載の空調用分岐チャンバー。
【発明の詳細な説明】
【技術分野】
【０００１】
本発明は、空調設備において主ダクトを複数の分岐ダクトに分岐させる分岐チャンバーに関する。
【背景技術】
【０００２】
戸建て住宅やオフィスビル等の建物の空調設備は、冷暖房や換気を行なう空調機から主ダクトが延び、この主ダクトから複数の分岐ダクトが分岐し、これら分岐ダクトが居室等の各空調エリアへ延びている。主ダクトと複数の分岐ダクトとの間には分岐チャンバーが設けられている。一般に、この種の分岐チャンバーは、直方体の箱型になっている（例えば特許文献１の図１７参照）。この分岐チャンバーの長さ方向の一端側の端壁に流入口が形成され、前記端壁と直交する両側壁に複数の流出口が互いに前記長さ方向に並んで形成されている。流入口に主ダクトが接続され、各流出口に分岐ダクトが接続されている。このような分岐チャンバーにおいては、流入口に近い流出口ほど流量が小さく、流入口から遠い流出口ほど流量が大きくなる傾向がある。これは、流入口から入った空気が、分岐チャンバー内を前記長さ方向に直進して反対側の端壁（流入口と対面する壁）にぶつかった後、前記長さ方向に戻りながら各流出口に順次流れ込むからと考えられる。
【０００３】
前記の流量の不均等に対する対策として、特許文献１においては、分岐チャンバーの長さ方向に延びる筒状の網を分岐チャンバー内に収容し、かつ筒状の網の網目数や網目の大きさを前記長さ方向に変化させている。そして、流入口からの空気を筒状の網の内部に導入することによって、各流出口における流量を均等化している。
また、特許文献２においては、分岐チャンバーの長さ方向に沿って流入口から遠い位置にある流出口ほど、開口面積を小さくすることで、各流出口における流量の均等化を図っている。
【０００４】
また、主ダクトが流入口近くで曲がっていたり、主ダクト内における流入口近くに流量調節用のダンパーが付いていたりすると（例えば特許文献３）、空気の流れが流路断面内の片側に偏ることで偏流が起きやすい。このような偏流があると、各流出口における流量バランスが悪化する。その対策として、特許文献３においては、分岐チャンバー内における流入口の近くに短筒状のバッフルを設けることで偏流した空気を均し、各流出口における流量を均等化している。
【先行技術文献】
【特許文献】
【０００５】
【特許文献１】特開２００１−２０８４１１号公報（図２）
【特許文献２】特開２００１−２７４４４号公報（図２）
【特許文献３】特開２００６−１８３９３０号公報（図９）
【発明の概要】
【発明が解決しようとする課題】
【０００６】
前掲特許文献１、３の分岐チャンバーは、偏流対策としては有効と考えられるが、空気を網やバッフルに通すために圧力損失が大きくなることが懸念される。また、空気の流速が速いときは網やバッフルによる流通抵抗が効いて整流されることで流量バランスが良くなるが、空気の流速が遅いときは流通抵抗が効きにくく流量バランスが悪くなることも懸念される。
また、前掲特許文献２においては、空気の流れが偏流になっていたり、流速が遅かったりすると流量バランスが悪化すると考えられる。
本発明は、前記事情に鑑み、流速や偏流による影響が少なく、良好な流量バランスすなわち分配性能が得られる分岐チャンバーを提供することを目的とする。
【課題を解決するための手段】
【０００７】
前記問題点を解決するために、本発明は、主ダクトを複数の分岐ダクトに分岐させる空調用分岐チャンバーにおいて、厚さが長さ及び幅より小さい扁平容器状であり、前記厚さ方向に対向する第１壁及び第２壁のうち一方の壁に、前記主ダクトと接続される流入口が形成され、前記第１、第２壁と交差する周側壁に、前記分岐ダクトと接続される複数の流出口が互いに離れて形成されていることを特徴とする。
【０００８】
この特徴によれば、主ダクトからの空気は、第１壁及び第２壁のうち一方の壁の流入口から分岐チャンバー内に入り、分岐チャンバーの厚さ方向に沿って第１壁及び第２壁のうち他方の壁へ向かって流れ、まもなく前記他方の壁に当たる。これによって、前記空気に流通抵抗が働き整流される。前記空気の流速が遅くても、分岐チャンバーの厚さひいては第１、第２壁どうしの対向距離を小さくすることで、前記空気を前記他方の壁に確実に当てて流通抵抗を働かせることができる。また、前記空気が主ダクトから偏流した状態で流入口へ導入されたとしても、前記流通抵抗を働かせることで偏流を緩和又は解消できる。
その後、前記空気は、前記他方の壁に沿って分岐チャンバーの長さ方向や幅方向に拡散される。この拡散方向は、前記流入口から前記他方の壁に当たるまでの流れ方向に対して交差しているから、前記他方の壁に当たった後の空気が、前記流入口から新たに入って来る後続の空気の流れに妨げられることなく十分に拡散できる。また、前記流入口から前記他方の壁に当たるまでの距離よりも長い距離をかけて拡散できる。さらに、扁平な分岐チャンバー内を通ることで流通抵抗が働く。これによって、前記空気を十分に整流でき、偏流があった場合はその偏流を十分に緩和又は解消させたうえで、各流出口からほぼ均等に流出させることができる。この結果、各分岐ダクトにおける流量バランスを確保でき、分配チャンバーの分配性能を良好にできる。また、空気の流速や偏流の有無等によって分配チャンバーの分配性能があまり影響されないようにできる。
加えて、本発明は、前掲特許文献１〜３等の従来技術とは異なり、主ダクトを分岐チャンバーの周側壁にではなく第１壁又は第２壁に接続するものであるから、分岐チャンバーの厚さ（周側壁の高さ）を主ダクトの太さとは無関係に小さくでき、分岐チャンバーを十分に扁平にできる。したがって、分岐チャンバーの設置スペースを容易に確保できる。或いは、建物の利用スペースを広くできる。
【０００９】
前記第１、第２壁どうしの対向距離が、前記流入口の内直径又は内直径相当寸法より小さいことが好ましい。これによって、分岐チャンバーを十分に扁平な形状にできる。よって、分岐チャンバーの設置に必要なスペースを確実に小さくでき、建物の狭所に容易に設置できる。或いは、建物の利用スペースを確実に広くできる。
ここで、内直径相当寸法とは、流入口が非円形である場合に流入口の流路断面積Ｓと同じ面積となる円の直径Ｄを言う（Ｓ＝（１／４）・πＤ２）。
【００１０】
前記流入口が、前記一方の壁における長さ方向の中央部よりも基端側に偏って配置され、前記流出口が、前記流入口よりも前記長さ方向の先端側に偏って配置されていることが好ましい。これによって、流入口から流出口までの距離を長くして、前記空気が前記他方の壁に当たった後の拡散距離を確保することで十分に整流することができる。よって、各分岐ダクトにおける流量バランスを確実に確保できる。さらに好ましくは、分岐チャンバーの長さ方向の基端側（流入口側）の部分には流出口を設けないようにすることによって、主ダクトからの空気が偏流状態になっていたとしても、偏流が解消されないまま前記基端側（流入口側）の部分から空気が偏って流出するのを回避でき、分配が不均等になるのを防止できる。
【００１１】
前記分岐チャンバーの長さ方向の先端側の部分の幅が、先端に向かって漸次小さくなっていてもよい。これによって、前記分岐チャンバーの先端側へ向かうにしたがって流通抵抗が増大するようにでき、流入口から遠い側（先端側）の流出口ほど流量が大きくなる現象を回避でき、分配性能を一層良好にできる。
【００１２】
前記一方の壁が分岐チャンバーの底板であることが好ましい。つまり、分岐チャンバーの底板に流入口が設けられており、この底板の流入口に主ダクトが接続されていることが好ましい。この主ダクトを垂直に長く延ばすことにより、空気が殆ど偏流していない状態で流入口へ導入されるようにできる。
【発明の効果】
【００１３】
本発明によれば、分岐チャンバーの分配性能が流速や偏流の影響をあまり受けないようにでき、各分岐ダクトにおける流量バランスを確保できる。
【図面の簡単な説明】
【００１４】
【図１】図１は、本発明の第１実施形態を示し、空調装置の側面図である。
【図２】図２は、前記空調装置の分岐チャンバーの平面図である。
【図３】図３は、前記分岐チャンバーの斜視図である。
【図４】図４（ａ）は、図２のＩＶａ−ＩＶａ線に沿う、前記分岐チャンバーの側面断面図である。図４（ｂ）は、図１のＩＶｂ−ＩＶｂ線に沿う、前記分岐チャンバーの平面断面図である。
【図５】図５は、第１実施形態において主ダクトの形状が異なる変形例を示す側面断面図である。
【図６】図６（ａ）は、本発明の第２実施形態に係る分岐チャンバーの平面図である。図６（ｂ）は、同分岐チャンバーの側面図である。
【図７】図７（ａ）は、本発明の第３実施形態に係る分岐チャンバーの平面図である。図７（ｂ）は、同分岐チャンバーの側面図である。
【発明を実施するための形態】
【００１５】
以下、本発明の実施形態を図面にしたがって説明する。
図１〜図４は、本発明の第１実施形態を示したものである。図１及び図２に示すように、戸建て住宅などの建物には、空調装置１が設置されている。空調装置１は、空調機２と、主ダクト３と、複数の分岐ダクト４，４…とを備えている。空調機２は、冷暖房機能、湿度調節機能、送風機能、換気機能等を有している。この空調機２から主ダクト３が延びている。この主ダクト３から複数の分岐ダクト４，４…が分岐されている。分岐ダクト４が各空調エリア（図示せず）へ延びている。これら主ダクト３及び分岐ダクト４は、円形断面になっている。主ダクト３は、各分岐ダクト４より大径であり、主ダクト３の流路断面積は、各分岐ダクト４の流路断面積より大きい。
【００１６】
図１に示すように、主ダクト３と複数の分岐ダクト４，４…との間に空調用分岐チャンバー１０（以下、単に「分岐チャンバー１０」と称す）が設けられている。この分岐チャンバー１０を介して、主ダクト３が複数の分岐ダクト４，４…に分岐される。図３に示すように、分岐チャンバー１０は、直方体の容器状（箱状）になっており、しかも、厚さｔ１０が長さＬ１０及び幅ｗ１０より十分に小さく、かつ長さＬ１０が幅ｗ１０より大きい扁平容器状になっている（ｔ１０＜ｗ１０＜Ｌ１０）。好ましくは、分岐チャンバー１０の厚さｔ１０は、長さＬ１０の数分の１以下であり、かつ幅ｗ１０の２分の１程度以下である。さらに、分岐チャンバー１０の厚さｔ１０は、主ダクト３の外直径φ３（図１）よりも小さく、かつ分岐ダクト４の外直径φ４（図２）よりも大きい（φ４＜ｔ１０＜φ３）。また、分岐チャンバー１０の幅ｗ１０及び長さＬ１０は、主ダクト３の外直径φ３よりも大きい。この分岐チャンバー１０が、長さ方向及び幅方向を水平に向け、かつ厚さ方向を上下に向けて、建物の例えば天井裏等に配置される。
【００１７】
図１及び図２に示すように、分岐チャンバー１０は、第１壁１１と、第２壁１２と、周側壁２０とを備えている。第１壁１１及び第２壁１２は、長さ方向の寸法が幅方向の寸法よりも数倍程度大きい長方形の板状になっている。第１壁１１は、分岐チャンバー１０の上板を構成する。第２壁１２は、分岐チャンバー１０の底板を構成する。これら第１壁１１と第２壁１２とが互いに上下（分岐チャンバー１０の厚さ方向）に対向している。
【００１８】
図４（ｂ）に示すように、周側壁２０は、水平な第１壁１１及び第２壁１２に対して交差するとともに、平面視で長方形の枠状になっている。すなわち、周側壁２０は、一対の側壁部２１，２１と、基端壁部２２と、先端壁部２３とを含む。側壁部２１，２１は、それぞれ分岐チャンバー１０の長さ方向に延びるとともに、互いに分岐チャンバー１０の幅方向に対向している。各側壁部２１が、第１壁１１及び第２壁１２の幅方向の互いに同じ側の端縁どうし間に配置されている。基端壁部２２（基端側の壁部）と先端壁部２３（先端側の壁部）とは、それぞれ分岐チャンバー１０の幅方向に延びるとともに、互いに分岐チャンバー１０の長さ方向に対向している。図４（ａ）に示すように、基端壁部２２は、第１壁１１及び第２壁１２の長さ方向の基端縁（図４において左）どうし間に配置されている。先端壁部２３は、第１壁１１及び第２壁１２の長さ方向の先端縁（図４において右）どうし間に配置されている。
【００１９】
図４（ａ）及び（ｂ）に示すように、これらの壁１１，１２，２０によって、分岐チャンバー１０の内部に分配室１０ａが形成されている。第１壁１１が分配室１０ａの上面を画成し、第２壁１２が分配室１０ａの下面を画成し、周側壁２０が分配室１０ａの周側面を画成している。第１壁１１と第２壁１２との対向距離Ｈが、分配室１０ａの厚さに対応する。基端壁部２２と先端壁部２３との対向距離が、分配室１０ａの長さに対応する。一対の側壁部２１，２１どうしの対向距離が、分配室１０ａの幅に対応する。分配室１０ａは、厚さが長さ及び幅よりも十分に小さい扁平な空間になっている。
【００２０】
第１壁１１及び第２壁１２のうち一方の壁に流入口３１が形成されている。この実施形態では、底板である第２壁１２に流入口３１が形成されている。流入口３１は、円環状部材にて構成され、その中空部が第２壁１２を貫通して分配室１０ａに連なるとともに、第２壁１２の下面から突出されている。流入口３１の内直径φ３１は、第１壁１１と第２壁１２との対向距離Ｈ（分配室１０ａの厚さ）以上であり（Ｈ≦φ３１）、更には分岐チャンバー１０の厚さｔ１０より大きい（ｔ１０＜φ３１）。また、流入口３１は、第２壁１２における長さ方向の中央部よりも基端側（図４において左）に偏って配置されている。流入口３１の中心から先端壁部２３までの距離Ｌ１は、流入口３１の中心から基端壁部２２までの距離Ｌ２以上であり（Ｌ１≧Ｌ２）、好ましくは距離Ｌ１が距離Ｌ２より大きく例えば数倍〜十倍程度大きい。
【００２１】
この流入口３１を介して主ダクト３が分配室１０ａに連なっている。主ダクト３は、真っ直ぐ上方へ延びる垂直ダクト部３ａを有しており、この垂直ダクト部３ａの上端部が流入口３１に接続されている。
【００２２】
周側壁２０に複数の流出口３２，３２…が形成されている。これら流出口３２，３２…は、円形の短筒状になっている。この流出口３２が周側壁２０を貫通して外部へ突出されている。流出口３２の内端部が分配室１０ａに連なっている。流出口３２，３２…の外端部にそれぞれ分岐ダクト４が接続されている。各分岐ダクト４が流出口３２を介して分配室１０ａに連なっている。複数の流出口３２，３２…の開口面積は互いに等しい。また、各流出口３２の開口面積は、流入口３１の開口面積より十分に小さい。更に、各流出口３２の内直径φ３２は、第１壁１１と第２壁１２との対向距離Ｈより小さく（φ３２＜Ｈ）、ひいては分岐チャンバー１０の厚さｔ１０より小さい（φ３２＜ｔ１０）。
【００２３】
複数の流出口３２，３２…は、互いに分岐チャンバー１０の長さ方向又は幅方向に離れて並べられている。詳しくは、流出口３２は、一対の側壁部２１，２１の先端側（図１において右）の部分と先端壁部２３とに、それぞれ２つずつ配置されている。したがって、これら流出口３２，３２…は、分岐チャンバー１０における流入口３１よりも長さ方向の先端側の部分に偏って配置されている。基端壁部２２には、流出口３２が設けられていない。
なお、各側壁部２１及び先端壁部２３に流出口３２が１つだけ設けられていてもよく、３つ以上設けられていてもよい。各側壁部２１及び先端壁部２３における流出口３２の個数が互いに異なっていてもよい。
【００２４】
前記の空調装置１によれば、図４（ａ）及び（ｂ）において矢印にて示すように、空調機２で温度調節等された空気Ａが、主ダクト３を経て分岐チャンバー１０に導入される。このとき、主ダクト３における空調機２に近い部分で空気Ａの偏流が起きていたとしても、この空気Ａが長く真っ直ぐな垂直ダクト部３ａ内を通る過程で偏流を緩和又は解消できる。したがって、空気Ａを殆ど偏流の無い状態で分岐チャンバー１０へ導入することができる。
【００２５】
分岐チャンバー１０において、空気Ａは、流入口３１から分配室１０ａ内に流入し、分岐チャンバー１０の厚さ方向に沿って第１壁１１へ向かって流れ、まもなく第１壁１１に当たる。これによって、空気Ａに流通抵抗が働き整流される。空気Ａの流速が遅くても、第１、第２壁１１，１２どうしの対向距離Ｈが小さいため、空気Ａを第１壁１１に確実に当てて流通抵抗を働かせることができる。また、もしも空気Ａが偏流した状態で流入口３１へ導入されたとしても、第１壁１１に当てて流通抵抗を働かせることで偏流を緩和又は解消できる。
【００２６】
第１壁１１に当たった後の空気Ａは、第１壁１１に沿って分岐チャンバー１０の長さ方向や幅方向に概略水平に拡散され、主として長さ方向の先端側（図４において右）へ拡散される。この拡散方向は、第１壁１１に当たるまでの流れ方向（上昇方向）に対して交差しているから、第１壁１１に当たった後の空気Ａが、流入口３１から新たに入って来る後続の空気Ａの流れに妨げられることなく十分に拡散できる。また、流入口３１から第１壁１１に当たるまでの距離Ｈよりも長い距離をかけて拡散できる。さらに、空気Ａには、扁平な分配室１０ａ内を通ることで流通抵抗が働く。これによって、空気Ａを十分に整流でき、もしも偏流があった場合はその偏流を十分に緩和又は解消させることができる。この結果、各流出口３２からほぼ均等に空気Ａを流出させることができ、各分岐ダクト４における流量バランスを確保できる。すなわち、分配チャンバー１０の分配性能を良好にできる。また、空気Ａの流速や偏流の有無等によって分配チャンバー１０の分配性能があまり影響されないようにできる。
【００２７】
加えて、本発明の分岐チャンバー１０においては、前掲特許文献１〜３等の従来技術とは異なり、主ダクト３を分岐チャンバー１０の垂直な周側壁２０にではなく、水平な第１、第２壁１１，１２の一方（ここでは第２壁１２）に接続するものであるから、周側壁２０の高さを主ダクト３の外直径とは無関係に小さくでき、分岐チャンバー１０を十分に扁平にできる。したがって、分岐チャンバー１０の設置スペースを容易に確保できる。天井裏のような狭所であっても分岐チャンバー１０を十分に配置することができる。逆に言うと、天井裏を狭くでき、その分、居室等の天井高さを大きくする等、建物の利用スペースを広くすることができる。
【００２８】
次に、本発明の他の実施形態を説明する。以下の実施形態において既述の形態と重複する構成に関しては、図面に同一符号を付して説明を省略する。
図５は、主ダクト３の変形例を示したものである。この主ダクト３は、分岐チャンバー１０の近くの湾曲部３ｃにおいてＬ字状に曲がっている。湾曲部３ｃより上流側（図５において右側）の主ダクト３は長く、かつ水平であり、湾曲部３ｃより下流側（流入口３１側）の主ダクト３は短く、かつ垂直上方へ向けられている。このため、同図の矢印にて示すように、湾曲部３ｃにおいて、空気Ａが片側へ偏ることで偏流が起きる。しかも、この湾曲部３ｃから流入口３１までの距離が短いために、偏流が緩和されないまま流入口３１に達して分配室１０ａ内に導入される。この場合でも、空気Ａが、流入口３１の直上の第１壁１１に当たることで偏流を緩和又は解消することができる。更に、第１壁１１に当たった後は、扁平な分配室１０ａ内を拡散することによって流通抵抗が働き、偏流を一層確実に緩和又は解消することができる。また、図５において実線にて示すように、分岐チャンバー１０の基端側（同図において左側）の部分には流出口３２が設けられていないため、流入口３１において空気Ａの偏流があったとしても、流量バランスが悪化するのを回避できる。
【００２９】
なお、図５において仮想線で示すように、もしも分岐チャンバー１０における基端側の部分（基端壁部２２など）に流出口３２Ｘが設けられていた場合、主ダクト３からの空気Ａｘがその流出口３２Ｘの側に偏った状態で分配室１０ａに流入して来たとすると、空気Ａｘの大部分がそのまま流出口３２Ｘから流出して流量バランスが悪化するおそれがある。
【００３０】
図６は、本発明の第２実施形態を示したものである。
第２実施形態の分岐チャンバー１０では、流出口３２が一対の側壁部２１，２１にだけ設けられている。基端壁部２２及び先端壁部２３には流出口が設けられていない。各側壁部２１における流出口３２の数は、３つであるが、２つ以下でもよく、４つ以上でもよい。第２実施形態によれば、先端壁部２３すなわち流入口３１から最も遠い部分に流出口が無いため、各分岐ダクト４における流量バランスを一層良好にすることができる。
【００３１】
図７は、本発明の第３実施形態を示したものである。
第３実施形態においては、分岐チャンバー１０の長さ方向の先端側（図４において右側）の部分の幅が、先端壁部２３に向かって漸次小さくなっている。側壁部２１の先端側の部分は、長さ方向に対して傾斜され、斜壁部２４となっている。一対の側壁部２１，２１の斜壁部２４，２４どうしが先端に向かうにしたがって互いに接近されている。先端壁部２３の幅は、流出口３２の直径よりも小さい。
【００３２】
一対の斜壁部２４，２４に流出口３２が設けられている。各斜壁部２４における流出口３２の数は、２つであるが、１つ又は３つ以上でもよい。さらに、側壁部２１における長さ方向に真っ直ぐ延びる部分の斜壁部２４寄りの箇所にも流出口３２が設けられている。先端壁部２３及び基端壁部２２には流出口３２が設けられていない。
【００３３】
第３実施形態によれば、分岐チャンバー１０の先端側へ向かうにしたがって流通抵抗が増大するようにできる。これによって、流入口３１から遠い側（先端側）の流出口３２ほど流量が大きくなる現象を回避できる。この結果、各分岐ダクト４における流量バランスを一層良好にできる。
【００３４】
本発明は、前記実施形態に限られず、その趣旨を逸脱しない範囲内で種々の改変をなすことができる。
例えば、流入口３１が、分岐チャンバー１０の第１壁１１（上板）に設けられ、主ダクト３がこの第１壁１１の流入口３１に接続され、第２壁１２（底板）は、全体が塞がっていてもよい。この場合、主ダクト３からの空気が、第１壁１１の流入口３１から分配室１０ａに導入されて下方へ流れ、第２壁１２に当たって拡散される。
流入口３１は非円形であってもよい。この場合、第１、第２壁１１，１２どうしの対向距離Ｈ（分配室１０ａの厚さ）が、流入口３１の内直径相当寸法より小さいことが好ましい。ここで、内直径相当寸法とは、流入口３１の流路断面積をＳとすると、面積がＳとなる円の直径Ｄを言う（Ｓ＝（１／４）・πＤ２）。
分配チャンバー１０は、厚さｔ１０が長さＬ１０及び幅ｗ１０より小さい扁平形状であればよく、長さＬ１０が幅ｗ１０とほぼ同じ大きさであってもよく（Ｌ１０≒ｗ１０）、幅ｗ１０以下であってもよい（Ｌ１０≦ｗ１０）。
分配室１０ａ内の流れを一層整流化するために、分配室１０ａ内に整流板を設けてもよい。前記整流板は、例えば設置スペースの都合等で分岐チャンバー１０の長さＬ１０をあまり大きくできない場合などに有効である。
１又は複数の流出口３２が、分配チャンバー１０の長さ方向に沿って流入口３１とほぼ同じ位置に配置されていてもよく、流入口３１よりも前記長さ方向の基端側（例えば図１において左側）に配置されていてもよい。
分岐チャンバー１０の第１壁１１と第２壁１２との対向方向（分岐チャンバー１０の厚さ方向）は、必ずしも上下方向（鉛直）である必要はなく、水平であってもよく、水平及び鉛直に対して斜めであってもよい。
分岐チャンバー１０の長さ方向及び幅方向は、必ずしも水平でなくてもよく、鉛直であってもよく、水平及び鉛直に対して斜めであってもよい。
【産業上の利用可能性】
【００３５】
本発明は、例えば戸建て住宅、集合住宅、オフィスビル等の建物における空調配管として利用できる。
【符号の説明】
【００３６】
１      空調装置
２      空調機
３      主ダクト
３ａ    垂直ダクト部
４      分岐ダクト
１０    空調用分岐チャンバー
１０ａ  分配室
１１    第１壁（他方の壁）
１２    第２壁（一方の壁）
２０    周側壁
２１    側壁部
２２    基端壁部
２３    先端壁部
２４    斜壁部
３１    流入口
３２    流出口
【図１】
2015183940.tif 000003
【図２】
2015183940.tif 000004
【図３】
2015183940.tif 000005
【図４】
2015183940.tif 000006
【図５】
2015183940.tif 000007
【図６】
2015183940.tif 000008
【図７】
2015183940.tif 000009